(57)【要約】【課題】超音波（周波数２０ｋＨｚ以上）の発振が可能な条件で噴気量を可及的に増大させて発振エネルギーの大きい噴気式超音波照射装置の構築を可能にすると共に、発振された超音波を液状物質に効果的に作用させ得る超音波照射装置及びシステムを創出する。【解決手段】高圧ガスを同心円ノズルから噴出せしめると共に該ノズルの出口に対面して同心円状の共鳴溝を設けて超音波を発振させるので、超音波発生の必須条件である狭いノズル幅でも、同心円径を増やすことにより周波数に影響なく噴気量即ち発振エネルギーを増大できる。又、同心円ノズルの出口近傍の細孔から液状物質を供給してガスの高速気流で液滴粒子を微細化し比表面積を増やして超音波を照射すると共に、超音波と液滴粒子を反射板で軸方向に集約するなど、液状物質に超音波を効果的に作用せしめる。【選択図】図１
2009022941.tif 000002
【特許請求の範囲】
【請求項１】
圧縮空気や水蒸気などの高圧ガスを同心円ノズルから噴出せしめると共に、該ノズルの出口に対面して同心円状の共鳴溝を設けて超音波を発振せしめることを特徴とする、噴気式超音波照射装置。
【請求項２】
前記同心円ノズルの外筒に円錐台状の反射板を固定し、ノズルの半径方向に放射された超音波を軸方向に屈折せしめることを特徴とする、請求項１に記載の噴気式超音波照射装置。
【請求項３】
前記同心円ノズルの出口近傍の内筒に多数の細孔を設け、液状物質を内筒から供給して該細孔群から噴出する液滴粒子に超音波を照射せしめることを特徴とする、請求項２に記載の噴気式超音波照射装置。
【請求項４】
上端部にベントを設けたタンクの上部に請求項３に記載の噴気式超音波照射装置を懸垂せしめ、タンク内に浮遊する液滴粒子に超音波を照射せしめることを特徴とする、噴気式超音波照射システム。
【請求項５】
前記タンクをカスケード状に連結して超音波照射処理を繰り返すことを特徴とする、請求項４に記載の噴気式超音波照射システム。
【発明の詳細な説明】
【技術分野】
【０００１】  本発明は、油水エマルジョン製造や廃水処理などのプロセスにおいて、液状物質を処理する噴気式超音波照射装置及びシステムに係わる。
【背景技術】
【０００２】  近年油水エマルジョンの優れた燃焼性能が注目されているが、長時間安定したエマルジョンを維持するために界面活性剤の添加や撹拌操作に加えて超音波の強い分散乳化作用を利用する目的で２０ｋＨｚ程度の低周波領域の超音波が照射される（例えば、特許文献１参照）。また、有機廃水のメタン化前処理においても汚泥粒子の可溶化目的で超音波の破砕作用を利用するなど、液状物質の処理では多分野で低周波領域の超音波が利用されている。しかし一般の超音波発振装置に使用されている圧電型や磁歪型の振動子は、いずれも高周波領域の発振には適しているが出力が小さいので実装置では多数の振動子を設ける必要があり、また振幅を増幅するホーンの接液部にキャビテーションエロージョンの対策を必要とするなど、実施上の課題が多い（例えば、非特許文献１参照）。【０００３】  一方、高速気流を利用する発振法としては、図２に示すように、圧縮空気１が供給されるノズル２３の出口２４に対面してノズル口径とほぼ同径の円筒型共鳴孔２５を設け、ノズルから噴射される高速気流を共鳴孔２５に衝突させることによって超音波を発振する噴気式超音波発振器がある。この方法はハルトマン法として周知であり、共鳴孔の深さをＬ，直径をｄとすると、発生する音波の波長λは、噴気圧力やノズルから共鳴孔面までの距離Ｘに若干影響されるが、ほぼλ≒４（Ｌ＋０．３ｄ）となることが実験的に確認されている。即ち、空気中の音速を３４０ｍ／ｓとすれば発振する音波の周波数Ｎ≒８５／（Ｌ＋０．３ｄ）となるので、仮にＬ＝ｄ＝３ｍｍに設定すればＮ≒２２ｋＨｚとなり、周波数２０ｋＨｚ程度の低周波領域の超音波を発振することができる（例えば、非特許文献１参照）。【０００４】  この噴気式超音波発振器は構成が簡単であり、特に場内で圧縮空気や高圧水蒸気を利用できる場合には有利と看做される。しかし上記の説明で明らかなように、本法によって周波数２０ｋＨｚ以上の超音波を発生させる為には共鳴条件として共鳴孔の孔径と深さＬを極端に小さくする必要がある。従ってノズルの口径ｄも５ｍｍ程度以下に制限されるので噴気量が少なくなり、即ち発生する超音波エネルギーが小さいので単機の大容量化は極めて困難である。【０００５】
【特許文献１】特開２００６−２８２１５
【非特許文献１】日刊工業新聞社発行・飯田康夫著「ソノプロセスのはなし」、など
【非特許文献２】小林理研ニュースＮｏ．３３．２及びＮｏ．３４．２
【発明の開示】
【発明が解決しようとする課題】
【０００６】  以上に鑑み本発明は、油水エマルジョンや廃水などの液状物質を噴気式超音波発振装置で処理することを目的として、超音波（周波数２０ｋＨｚ以上）の発振が可能な条件で噴気量を可及的に増大させて発振エネルギーの大きい噴気式超音波発振装置の構築を可能にすると共に、発振され超音波を液状物質に効果的に作用させ得る噴気式超音波照射装置及びシステムの創出を課題としている。
【課題を解決するための手段】
【０００７】  上記課題を解決するための請求項１に記載の発明は、圧縮空気や水蒸気などの高圧ガスを同心円ノズルから噴出せしめると共に、該ノズルの出口に対面して同心円状の共鳴溝を設けて超音波を発振せしめることを特徴とする、噴気式超音波照射装置である。【０００８】  また、請求項２に記載の発明は、請求項１に記載の噴気式超音波照射装置において、同心円ノズルの外側に円錐台状の反射板を固定し、ノズルの半径方向に放射された超音波を軸方向に屈折せしめることを特徴としている。【０００９】  また、請求項３に記載の発明は、請求項２に記載の噴気式超音波照射装置において、同心円ノズルの出口近傍の内筒に多数の細孔を設け、液状物質を内筒から供給して該細孔群から噴出する液滴粒子に超音波を照射せしめることを特徴としている。【００１０】  また、請求項４に記載の発明は、上端部にベントを設けたタンクの上部に請求項３に記載の噴気式超音波照射装置を懸垂せしめ、タンク内に浮遊する液滴粒子に超音波を照射せしめることを特徴としている。【００１１】  また、請求項５に記載の発明は、請求項４に記載のシステムにおいて、タンクをカスケード状に連結して超音波照射処理を繰り返すことを特徴としている。
【発明の効果】
【００１２】  請求項１に記載の発明によれば、２０ｋＨｚ以上の超音波の発振条件を満たすために共鳴溝の幅すなわち噴気ノズルの幅を狭くしても、内筒の外径を増やすことによって噴気ノズルの出口面積を増やせるので、発振する超音波周波数に影響することなく噴気量を増加せしめて超音波エネルギーを大きくすることができる効果がある。【００１３】  請求項２に記載の発明によれば、ノズルの半径方向に放射さた超音波を反射板によって軸方向に集約できるので、発振された超音波の利用効率を高める効果がある。【００１４】  請求項３に記載の発明によれば、ノズル出口近傍の細孔群から噴出する液状物質はノズル出口からの高速噴流による吸引とせん断作用で微細化され、液滴が微粒子となって比表面積が増大するので、液滴に対する超音波の照射効果が向上する効果がある。【００１５】  請求項４に記載の発明によれば、請求項２の作用と相俟って液滴と超音波がタンク内にコンパクトに集約され、液滴がタンク内を浮遊して空中に滞留する間に比表面積の大きい液滴微粒子が効果的に超音波を吸収する効果がある。【００１６】  請求項５に記載の発明によれば、特に有機廃水のメタン化前処理などにおいて、液滴が浮遊した状態で超音波照射が繰り返えされることによって水中の汚泥粒子の外殻が破砕され易くなり、一般に困難とされている可溶化処理が可能となるなどの効果がある。
【発明を実施するための最良の形態】
【００１７】  以下、本発明の実施の形態を図に基づいて説明する。図１は本発明の噴気式超音波照射装置の実施例の断面図、図２は従来の噴気式超音波発振器の説明図、図３は本発明の噴気式超音波照射システムの実施例概念図、をそれぞれ示す。【００１８】  図２に示す従来の噴気式超音波発振器は、高圧ガス１をノズル２３に供給しノズル出口２４から噴射された高速気流を対面する円筒型共鳴孔２５に衝突させることによって音波を発振するものであるが、前記のように、発生する周波数はほぼ共鳴孔の深さＬと孔径（≒ノズル口径ｄ）で定まり、２０ｋＨｚ以上の超音波を発信するためにはｄを５ｍｍ程度以下に設定する必要があるので、ガスの噴気量が制限され大容量化が困難であった。【００１９】  これに対して図１に示す本発明の噴気式超音波照射装置では、高圧ガス１はガス導管２を経てノズル内筒６とノズル外筒７で囲まれたガス室３に供給され、ノズル出口４から噴出するが、ノズル出口４を内筒６の外周円と隙間ｄ’を隔てた同心円との二円で形成せしめると共に、ノズル出口４に対面して深さＬ’の同心円状の共鳴溝５を設けている。共鳴溝５はノズル出口４から噴射される高速気流を洩れなく受容れて共鳴させるもので、幅はノズル出口４の幅ｄ’と同等または若干大きく設定される。以上において、同心円状の共鳴溝５の幅は図２の円筒型共鳴溝２５の直径と等価の機能を有するものであるから、周波数は共鳴溝５の深さＬ’と溝幅（≒ｄ’）を適宜選定することによって任意に設定することができる。一方、ガスの噴気量については、ノズル内筒６の外径をＤとするとノズル出口４の開口面積＝πＤｄ’となるので、Ｄの選定によって必要な開口面積すなわち必要な噴気量を任意に設定できるので、大容量化が可能となる。【００２０】  さらに、ノズル出口４の近傍で内筒６に細孔１１を放射状に多数設け、液状物質導管９から内筒６内の液室１０を経て細孔１１に液状物質８を供給すると、液室１０内の圧力で押し出された液状物質８は、ノズル出口４から噴出した高圧ガス１の高速噴流による負圧とせん断作用で微細化され、液滴が微粒子となって比表面積が増大し、液滴に対する超音波の照射効果が向上する。また、ノズル外筒７に円錐台状の反射板１３を固定することによって、ノズルの半径方向に放射された超音波１２と液滴１４は図示のようにノズルの軸方向に屈折して集約され、超音波効果が液滴に有効に作用する。以上のように、本発明によれば大型化が可能であるのみならず、噴流による超音波の発振と液状物質の微細化と超音波の効果的照射とを単一装置で同時に且つ相互補完的に行うことができる。【００２１】  図３に示す噴気式超音波照射システム例では、前記の噴気式超音波照射装置を、ベント１９を上端に設けたタンク１５の上部に懸垂せしめて、タンク１５内に浮遊する液滝１４に超音波１２を照射するように構成されているので、照射装置がコンパクト化され、且つ液滴１４は液面１６に達するまで微粒子として空中に滞留して超音波１２を照射されるので、効果的に超音波を吸収できる。【００２２】  特に、有機廃水汚泥の可溶化で水中の汚泥粒子の外殻破砕が困難な場合などのように長時間の照射処理を必要とし、タンク１５内の空中滞留時間以内では���分な超音波処理ができない場合は、図３に示すように、タンク１５，１５’をポンプ１７を介してカスケード状に連結し、繰り返し処理を行って処理液１８を回収すればよい。
【図面の簡単な説明】
【００２３】
【図１】  本発明の噴気式超音波照射装置の実施例の断面図
【図２】  従来の噴気式超音波発振器の説明図
【図３】  本発明の噴気式超音波照射システムの実施例概念図
【符号の説明】
【００２４】１    高圧ガス
２    ガス導管
３    ガス室
４    ノズル出口
５    共鳴溝
６    ノズル内筒
７    ノズル外筒
８    液状物質
９    液状物質導管
１０  液室
１１  細孔
１２  超音波
１３  反射板
１４  液滴
１５、１５’  タンク
１６  液面
１７  ポンプ
１８  処理液
１９  ベント
２３  ノズル
２４  ノズル出口
２５  共鳴孔
【図１】
2009022941.tif 000003
【図２】
2009022941.tif 000004
【図３】
2009022941.tif 000005